(57)【特許請求の範囲】
【請求項１】
軸筒と、軸筒の把持部に設けられ通常ＯＦＦ状態であり、指で駆動ボタンを押圧したときのみＯＮとなる駆動スイッチと、軸筒内に長手方向に摺動可能に内蔵されたチャックと、チャックを長手方向後方に付勢するスプリングと、軸筒に設けられたソレノイドと、芯タンクに設けられた磁性体とからなり、駆動スイッチを作動させることによりソレノイドが磁化し、この磁化されたソレノイドによって磁性体が引っ張られる力を利用してチャックを前進させて芯を繰り出す電動芯繰出式シャープペンシルにおいて、チャックの後部に芯タンクを固着し、芯タンクの後部に芯挿入口を閉じる栓を着脱可能に設け、前記栓が軸筒の後端より適宜突出するとともに、栓を覆う後軸を軸筒の後部に着脱可能に取り付け、後軸内にソレノイドを駆動させる電池を内蔵し、更に、駆動スイッチを作動させた時に複数回ＯＮ、ＯＦＦを繰り返し、駆動ボタンを押圧し続けた状態では規定回数ＯＮ、ＯＦＦを繰り返した後ＯＮの状態で停止するＩＣ回路を軸筒に設けたことを特徴とする電動芯繰出式シャープペンシル。
【発明の詳細な説明】
【０００１】
【産業上の利用分野】
本発明は、ソレノイドを磁化することによりチャックを前進させて芯を繰り出すとともに、手動によっても芯を繰り出せる電動芯繰出式シャープペンシルに関する。
【０００２】
【従来の技術】
従来、ソレノイドを磁化することにより芯を繰り出す電動芯繰出式シャープペンシルは種々知られている。
【０００３】
【発明が解決しようとする課題】
しかし、従来の電動芯繰出式シャープペンシルは、いずれも電池が消耗すると芯を繰り出すことができなかった。
本発明は、上記した課題を解消する電動芯繰出式シャープペンシルを提供することを目的とするものである。
【０００４】
【課題を解決するための手段】
上記目的を達成するために本発明は、軸筒と、軸筒の把持部に設けられた駆動スイッチと、軸筒内に長手方向に摺動可能に内蔵されたチャックと、チャックを長手方向後方に付勢するスプリングとからなり、駆動スイッチを作動させることによりソレノイドが磁化し、チャックを前進させて芯を繰り出す。このチャックの後部に芯タンクを固着し、芯タンクの後部に芯挿入口を閉じる栓を着脱可能に設け、前記栓が軸筒の後端より適宜突出するとともに、栓を覆う後軸を軸筒の後部に着脱可能に取り付け、後軸内にソレノイドを駆動させる電池を内蔵したことを要旨とする。
【０００５】
従って、電池が消耗した場合には、後軸を外して栓を露出し、該栓を押圧することによりチャックを前進させて芯が繰り出せるものである。
【０００６】
【実施例】
本発明の実施例を図１、図２および図３により説明する。尚、図において駆動スイッチ１、表示ランプ２、ＩＣ回路３、ソレノイド４の取付構造については省略しているが、これらは従来知られている通常の取付構造を用いればよい。芯５を保持するチャック６の頭部６Ａには締リング７が外嵌され、かつチャック６の後部には芯タンク８が固着される。芯タンク８の後端には芯挿入口８Ａが形成され、芯タンク８内に複数の芯５が収納されている。芯タンク８の後部にはコップ状の栓９が着脱可能に嵌合され、芯タンク８の芯挿入口８Ａを閉じている。締リング７の後端が当接される連結具１０と芯タンク８の外段８Ｂとの間には取付時荷重が１００ｇ〜２００ｇ程度の弱いスプリング１１が張架され、通常チャック６の頭部６Ａが締リング７に当接している。チャック６および芯タンク８は長手方向に摺動可能に軸筒１２に内蔵され、軸筒１２の後方より挿入された連結具１０に口金１３が螺合される。口金１３内には芯５を適度の力で保持する芯ホルダー１４が内蔵される。前記栓９は軸筒１２の後端より適宜露出している。軸筒１２の把持部１２Ａには駆動スイッチ１が設けられ、さらに軸筒１２には駆動スイッチ１が作動した時点灯する表示ランプ２が設けられる。軸筒１２の内面には、前記駆動スイッチ１を作動させた時、複数回ＯＮ、ＯＦＦを繰り返すリピート機能を持たせるためのＩＣ回路３が設けられ、さらに軸筒１２の内面にソレノイド４が設けられる。芯タンク８の外周面にはリング状の磁性体１５が具備され、該磁性体１５は前記ソレノイド４の後方に適宜離間して構成される。さらに軸筒１２の後部内側にはリング状の接点Ａとリング状の接点Ｂが適宜離間して設けられる。軸筒１２の後部には後軸１６が螺合され、前記栓９を保護する。後軸１６の前部にはリング状の接点Ｃとリング状の接点Ｄが設けられ、接点Ｃが前記接点Ａと接触し、接点Ｄが前記接点Ｂと接触する。さらに後軸１６内には電池１７が内蔵され、かつ電池１７の電源をＯＮ、ＯＦＦするための電源スイッチ１９が設けられる。後軸１６には蓋１８が螺合されて電池１７を固定するとともに、蓋１８に設けられた接点Ｆが電池１７のプラス極１７Ａに接触する。前記電源スイッチ１９は従来知られている種々のスイッチが使用できるが、例えば後軸１６の周面より突出した板状の電源スイッチ１９のＯＦＦボタン１９Ａを押圧することにより、電源スイッチ１９が摺動して電池１７のマイナス極１７Ｂより接点Ｅが離れ、電源スイッチ１９が切れるとともにＯＮボタン１９Ｂが後軸１６の周面より突出する。次にＯＮボタン１９Ｂを押圧すれば、電源スイッチ１９の孔１９Ｃより接点Ｅが電池１７のマイナス極１７Ｂに接触し、電源スイッチ１９が入るとともにＯＦＦボタン１９Ａが後軸１６の周面より突出する。しかも、接点Ｅは接点Ｃと、接点Ｆは接点Ｄとそれぞれ接続されている。
【０００７】
次に芯５を繰り出す操作を説明する。図１の状態において、駆動ボタン２０を指で接触する程度のわずかな力で押圧すると、駆動スイッチ１が作動する。すると表示ランプ２が点灯するとともに、ＩＣ回路３により複数回（５回程度）ＯＮ、ＯＦＦを繰り返し、ソレノイド４が複数回磁化される。するとソレノイド４が磁化される毎に磁性体１５がソレノイド４に引っ張られ、チャック６が前進する。チャック６が前進する毎に一定量芯５が繰り出される。従って、駆動スイッチ１を何度も押圧することなくチャック６が複数回前進するので、操作が非常に簡単となる。また、駆動ボタン２０を押圧し続けた状態では、ＩＣ回路３が規定回数ＯＮ、ＯＦＦを繰り返した後ＯＮの状態で停止する。つまり、チャック６は拡開した状態で停止し、図２の状態となる。従って、芯５が出すぎた場合には、芯５を押し込めば後退が可能である。駆動ボタン２０を解除すると駆動スイッチ１がＯＦＦとなり、スプリング１１に付勢されてチャック６は後退し、図１の状態に戻る。長時間筆記を行い電池１７が消耗した場合には蓋１８を外して新たな電池１７を装着し、使用する。しかし、予備の電池１７がない場合には後軸１６を外すことにより、従来の手動のノック式シャープペンシルと同様にして栓９を押圧し、芯５を繰り出すこともできる。電動芯繰出式シャープペンシルの使用を終了し携帯する場合には、電源スイッチ１９をＯＦＦにする。この状態では、例え駆動スイッチ１を押圧しても芯５が繰り出される恐れはない。
【０００８】
図４は、上記実施例の配線図を示したものであり、電池１７のプラス極１７Ａ、接点Ｆ、接点Ｄ、接点Ｂ、駆動スイッチ１、表示ランプ２、ＩＣ回路３、ソレノイド４、接点Ａ、接点Ｃ、接点Ｅ、電源スイッチ１９、電池１７のマイナス極１７Ｂの順序で配線されている。しかし、配線順序は上記実施例に限定されるものではなく、任意に設定可能である。
【０００９】
図５は、本発明の他の実施例を示したもので、芯タンク１０８の芯挿入口１０８Ａを閉じる栓１０９を消しゴムで構成したものである。
【００１０】
【発明の効果】
以上説明した本発明は、駆動ボタンを１回指で接触する程度に押圧するのみで駆動スイッチが作動する。するとＩＣ回路によって複数回ＯＮ、ＯＦＦが繰り返され、ソレノイドが複数回磁化される。したがって、駆動スイッチを何度も押圧しなくてもチャックが複数回前進するので、芯を繰り出したり、消耗した芯を次の芯で排出する操作が非常に簡便となる。
【図面の簡単な説明】
【図１】本発明の電動芯繰出式シャープペンシルを示す断面図である。
【図２】駆動スイッチを作動させた状態を示す断面図である。
【図３】手動により芯を繰り出せる状態を示す部分断面図である。
【図４】本発明の電動芯繰出式シャープペンシルにおける配線図である。
【図５】本発明の他の実施例を示す主要部部分断面図である。
【符号の説明】
１  駆動スイッチ
４  ソレノイド
５  芯
６  チャック
８  芯タンク
８Ａ  芯タンク８の芯挿入口
９  栓
１１  スプリング
１２  軸筒
１６  後軸
１７  電池
１０８  芯タンク
１０８Ａ  芯タンク１０８の芯挿入口
１０９  栓
【図１】
0003737836.tif 000002
【図２】
0003737836.tif 000003
【図３】
0003737836.tif 000004
【図４】
0003737836.tif 000005
【図５】
0003737836.tif 000006